(57)【要約】【課題】光ディスクに過度な力を印加しなくても光ディスクを容易に装着および分離することができるターンテーブル組立体を提供する。【解決手段】光ディスク１５０を搭載するためのターンテーブル１１０と、光ディスク１５０の中心方向Ｂに収縮可能であり、光ディスク１５０を保持するためのチャック部材１２０と、チャック部材１２０を中心方向の反対方向に弾性的に支持するためのスプリング１３０と、チャック部材１２０を支持する少なくとも一部が光ディスク１５０の挿入方向Ａに弾性変形して、チャック部材１２０を挿入方向の反対方向に支持するための弾性支持部材１４０と、チャック部材１２０、スプリング１３０および弾性支持部材１４０を収容するためのハウジング１１５とを含み、弾性支持部材１４０は、挿入方向Ａに弾性変位を有するように、ターンテーブル１１０から離隔してチャック部材１２０を支持する支持部１４２を有する。【選択図】図１
2008010134.tif 000002
【特許請求の範囲】
【請求項１】
光ディスクの半径方向に収縮可能であり、前記光ディスクを保持するための保持部材、および、
前記保持部材を支持する少なくとも一部が前記光ディスクの挿入方向に弾性的に変形して前記保持部材を前記挿入方向の反対方向に支持するための支持部材、を含むことを特徴とする、ターンテーブル組立体。
【請求項２】
前記支持部材は、前記挿入方向に所定の変位を有することを特徴とする、請求項１に記載のターンテーブル組立体。
【請求項３】
前記保持部材を前記半径方向の反対方向に弾性的に支持するための弾性部材をさらに含むことを特徴とする、請求項１または２に記載のターンテーブル組立体。
【請求項４】
光ディスクの中心方向に収縮可能であり、前記光ディスクを保持するためのチャック部材、
前記チャック部材を前記中心方向の反対方向に弾性的に支持するためのスプリング、
前記チャック部材を支持する少なくとも一部が前記光ディスクの挿入方向に弾性変形して前記チャック部材を前記挿入方向の反対方向に支持するための弾性支持部材、および、
前記チャック部材、前記スプリングおよび前記弾性支持部材を収容するためのハウジング、を含むことを特徴とする、ターンテーブル組立体。
【請求項５】
前記チャック部材が前記光ディスクの内周面に接触するように、前記ハウジングが中央部位に設置され、前記光ディスクを搭載するターンテーブルをさらに含むことを特徴とする、請求項４に記載のターンテーブル組立体。
【請求項６】
前記弾性支持部材は、
前記ターンテーブルに固定設置される取付部、および、
前記挿入方向に弾性変位を有するように前記ターンテーブルから離隔され、前記チャック部材を支持する支持部、を含むことを特徴とする、請求項５に記載のターンテーブル組立体。
【請求項７】
前記支持部は、前記チャック部材との接触面が前記チャック部材の下向きに１７゜だけ傾くことを特徴とする、請求項６に記載のターンテーブル組立体。
【請求項８】
前記チャック部材は、前記光ディスクの挿入の際に、前記支持部の弾性変位によって前記挿入方向に傾くことを特徴とする、請求項７に記載のターンテーブル組立体。
【請求項９】
前記ハウジングは、その中心に対して等間隔で位置するように前記チャック部材および前記スプリングが複数設置されることを特徴とする、請求項４ないし８のいずれか一項に記載のターンテーブル組立体。
【発明の詳細な説明】
【技術分野】
【０００１】
本発明は光ディスク装着用ターンテーブル組立体に係り、より詳しくは光ディスクの装着／分離がより容易になるターンテーブル組立体に関するものである。
【背景技術】
【０００２】
一般に、光ディスクおよびハードディスクなどの光記録媒体を高速で回転させるためのスピンドルモーターは、ベアリングと回転軸との間に潤滑油による油膜を形成して、回転軸を回転可能に支持することにより、高精度の回転特性を維持することができる。このようなスピンドルモーターは、ハードディスクドライブおよび光ディスクドライブ等の高速回転が要求される記録媒体の駆動手段として広く採用されている。
【０００３】
このようなスピンドルモーターにおいて、最も重要な条件は、スピンドルモーターの高速回転の際に、光記録媒体のスライドまたは離脱などを防止しなければならなく、光記録媒体の装着／分離の場合にも光記録媒体に損傷を与えるか、あるいは装着／分離の場合に過度な力を要してはいけない。このような条件を満足させるための光ディスク装着／分離用ターンテーブル組立体の一例を図４に概略的に示す。
【０００４】
従来技術によるターンテーブル組立体３００は、図４に示すように、ターンテーブル３１０、チャック部材３２０およびスプリング３３０から構成される。
【０００５】
ターンテーブル３１０は、光ディスク１５０を支持するためのもので、支持板３１１およびハウジング３１５を具備する。
【０００６】
支持板３１１は、光ディスク１５０が載置される部分で、スピンドルモーターの高速回転の際に、光ディスク１５０の滑りを防止するための滑り防止用ゴムリング３１４が付着される。
【０００７】
ハウジング３１５は、その内部にチャック部材３２０およびスプリング３３０が取り付けられ、支持板３１１に載置される光ディスク１５０の中心ホール３５１に挿入される。
【０００８】
チャック部材３２０は、光ディスク１５０を保持するための保持部材で、一側が外部へ突出しており、他側がハウジング３１５に挿入され、ハウジング３１５の内部で伸縮しながらスライド運動を行う。
【０００９】
スプリング３３０は、チャック部材３２０を半径方向の外方へ弾性的に支持するための弾性部材で、ハウジング３１５の内側に取り付けられる。
【００１０】
図５Ａ〜５Ｃは図４のターンテーブル組立体３００に光ディスク１５０が装着される例を示す断面図である。
【００１１】
光ディスク１５０が装着される前、チャック部材３２０はスプリング３３０によって弾性的に支持されてハウジング３１５の外側へ突出している状態である（図５Ａ）。
【００１２】
ついで、光ディスク１５０がチャック部材３２０を押しながら装着されると、光ディスク１５０の装着力によってチャック部材３２０がハウジング３１５の内側に収縮する（図５Ｂ）。
【００１３】
最後に、光ディスク１５０がチャック部材３２０の下接触面とかみ合うことで、光ディスク１５０の装着が完了する（図５Ｃ）。
【００１４】
しかし、前述した構成のターンテーブル組立体３００において、光ディスク１５０の装着の際に、光ディスク１５０とチャック部材３２０が接する部位の角度が平面角に近くて光ディスク１５０の装着力がチャック部材３２０によく伝達されないため、チャック部材３２０をハウジング３１５の内側に押し入れるためには、光ディスク１５０に過度な力が印加されなければならないし、これにより、チャック部材３２０と触れ合う光ディスク１５０の部位が損傷するおそれがあった。
【発明の開示】
【発明が解決しようとする課題】
【００１５】
したがって、本発明の目的は、光ディスクの装着の際に、チャック部材を所定の角度に傾けて光ディスクの装着力をチャック部材に一層うまく伝達させることにより、光ディスクに過度な力を印加しなくても光ディスクを容易に装着および分離することができるターンテーブル組立体を提供することである。
【課題を解決するための手段】
【００１６】
前述した本発明の目的を達成するために、本発明は、光ディスクの半径方向に収縮可能であり、前記光ディスクを保持するための保持部材、および前記保持部材を支持する少なくとも一部が前記光ディスクの挿入方向に弾性的に変形して、前記保持部材を前記挿入方向の反対方向に支持するための支持部材、を含むことを特徴とするターンテーブル組立体を提供する。
【００１７】
前記支持部材は、前記挿入方向に所定の変位を有することができる。
【００１８】
本発明は、前記保持部材を前記半径方向の反対方向に弾性的に支持するための弾性部材をさらに含むことができる。
【００１９】
また、本発明は、光ディスクの中心方向に収縮可能であり、前記光ディスクを保持するためのチャック部材、前記チャック部材を前記中心方向の反対方向に弾性的に支持するためのスプリング、前記チャック部材を支持する少なくとも一部が前記光ディスクの挿入方向に弾性変形して、前記チャック部材を前記挿入方向の反対方向に支持するための弾性支持部材、および前記チャック部材、前記スプリングおよび前記弾性支持部材を収容するためのハウジング、を含むことを特徴とする、ターンテーブル組立体を提供する。
【００２０】
本発明は、前記チャック部材が前記光ディスクの内周面に接触するように、前記ハウジングが中央部位に設置され、前記光ディスクを搭載するターンテーブルをさらに含むことができる。
【００２１】
前記弾性支持部材は、前記ターンテーブルに固定設置される取付部、および前記挿入方向に弾性変位を有するように前記ターンテーブルから離隔され、前記チャック部材を支持する支持部、を含むことができる。
【００２２】
前記支持部は、前記チャック部材との接触面が前記チャック部材の下向きに１７゜だけ傾くことができる。
【００２３】
前記チャック部材は、前記光ディスクの挿入の際に、前記支持部の弾性変位によって前記挿入方向に傾くことができる。
【００２４】
前記ハウジングは、その中心に対して等間隔で位置するように前記チャック部材および前記スプリングが複数設置されることができる。
【発明の効果】
【００２５】
本発明によるターンテーブル組立体によれば、光ディスクの装着および分離の際に、ハウジングの内側に押しつけられるチャック部材を支持する弾性支持部材が光ディスクの装着力で撓むことによりチャック部材が傾く。これにより、光ディスクの装着力がチャック部材に一層うまく伝達されて、光ディスクをより円滑に装着することができる。
【００２６】
また、光ディスクの装着／分離の場合に、過度な力を必要としないので、光ディスクそのものに損傷が発生しない。
【発明を実施するための最良の形態】
【００２７】
以下、添付図面を参照して、本発明の好適な実施例によるターンテーブル組立体１００について詳細に説明する。
【００２８】
図１に示すように、本発明の好適な実施例によるターンテーブル組立体１００は、スピンドルモーター２００に一体に形成され、スピンドルモーター２００の高速回転の際に、光ディスク１５０の離脱を防止する。
【００２９】
スピンドルモーター２００は搭載された光ディスク１５０を回転駆動させるためのもので、ベース２１０、ベアリングホルダー２２０、ベアリング２３０、電気子２４０、回転軸２５０およびローターケース２６０を含む。
【００３０】
ベース２１０はスピンドルモーター２００を全体的に支持するためのもので、スピンドルモーター２００が設置されるハードディスクドライブなどの装置に固定設置される。ベアリングホルダー２２０はベアリング２３０を固定支持するためのもので、中空円筒形に形成され、端部がコーキング処理されてベース２１０に固定設置される。ベアリング２３０は回転軸２５０を回転可能に支持するためのもので、中心軸が回転軸２５０の中心軸と同心となるように設置される。電気子２４０は外部電源を受けて電場を形成するためのもので、コア２４１およびコア２４１に巻線されるコイル２４２からなり、コイル２４２は外部から印加される電源によって電場を形成することにより、ローターケース２６０を回転させる。
【００３１】
回転軸２５０はベアリング２３０の内径部に回転可能に挿設され、ローターケース２６０を上向きに支持する。ローターケース２６０の内周壁には、電気子２４０と向い合って回転力を発生させるための磁石２６１が固定設置される。また、ローターケース２６０の上部には、光ディスク１５０を保持するためのターンテーブル組立体１００が備えられる。
【００３２】
ここで、電気子２４０に外部電源が印加されれば、コイル２４２と磁石２６１との間に形成される力によってローターケース２６０が回転することになる。
【００３３】
図２に示すように、本発明のターンテーブル組立体１００は、ターンテーブル１１０、チャック部材１２０、スプリング１３０および弾性支持部材１４０を含み、スピンドルモーター２００に一体に形成される。
【００３４】
ターンテーブル１１０は光ディスク１５０を支持するためのもので、本実施例では、スピンドルモーター２００のローターケース２６０がターンテーブル１１０として使われ、ターンテーブル１１０は支持板１１１およびハウジング１１５を備える。
【００３５】
支持板１１１はローターケース２６０の上面を指すもので、光ディスク１５０が載置される部分であり、回転軸２５０が挿着される結合ホルダー１１２が形成される。
【００３６】
結合ホルダー１１２は支持板１１１の中心部位から上向きに突設され、その内部に、回転軸２５０と同一の直径を有する結合孔１１３が形成され、この結合孔１１３に回転軸２５０が固定結合される。この際に、回転軸２５０は結合孔１１３に押し込まれて結合されるが、これとは異なり、所定の接着手段によって、押し込まれて接着結合されることができる。
【００３７】
また、支持板１１１は、スピンドルモーター２００の高速回転の際に、光ディスク１５０の滑りを防止するための滑り防止用ゴムリング１１４がその外周縁に沿って付着される。
【００３８】
ハウジング１１５は結合ホルダー１１２を全体的に取り囲み、支持板１１１の中央部位で突設されて光ディスク１５０の中心ホール１５１に挿入される。
【００３９】
また、ハウジング１１５は、その内部にチャック部材１２０およびスプリング１３０が取り付けられることにより、支持板１１１に載置される光ディスク１５０を保持する。ここで、ハウジング１１５は、スプリング１３０の一端に挿入されてスプリング１３０を保持する保持突起１１６が形成され、チャック部材１２０がハウジング１１５の内側にスライド運動できるように、ハウジング１１５の側部に開放する多数の開放溝１１７が形成される。
【００４０】
多数の開放溝１１７はハウジング１１５の中心に対して等間隔で複数形成され、ハウジング１１５には、複数のチャック部材１２０およびスプリング１３０が取り付けられることができる。
【００４１】
チャック部材１２０は光ディスク１５０を保持するための保持部材で、一側が外部に突出されており、他側がハウジング１１５の開放溝１１７に挿入され、その開放溝１１７の内部で伸縮しながらスライド運動を行う。ここで、チャック部材１２０の末端部がスプリング１３０の他端に挿入され、スプリング１３０によって弾性的に支持される。
【００４２】
また、チャック部材１２０は、外部に突出した部位で、光ディスク１５０と触れ合う部位、より具体的に上接触面１２１および下接触面１２２が所定の角度を有するように斜めに形成される。ここで、上接触面１２１の傾斜角が下接触面１２２の傾斜角より小さく形成されることにより、光ディスク１５０の分離が容易になされる。
【００４３】
スプリング１３０はチャック部材１２０を半径方向の外側、より具体的に光ディスク１５０の中心方向Ｂの反対方向に弾性的に支持するための弾性部材で、ハウジング１１５の内側に取り付けられ、一端が保持突起１１６に固定結合され、他端がチャック部材１２０の末端部に固定結合される。ここで、スプリング１３０の直径がチャック部材１２０の末端部より多少小さく形成されることが望ましい。
【００４４】
弾性支持部材１４０はチャック部材１２０を半径方向の反対方向に支持するためのもので、スプリング１３０によって弾性的に支持されるチャック部材１２０がハウジング１１５の外部に離脱されることを防止するようにチャック部材１２０の下部を支持し、チャック部材１２０の下接触面１２２に接触するように支持板１１１の上面に設置される。
【００４５】
また、弾性支持部材１４０は、光ディスク１５０の装着の際に、チャック部材１２０が所定の角度に傾くように、弾性を有することが望ましい。
【００４６】
本発明の好適な実施例によれば、弾性支持部材１４０は、ターンテーブル１１０の支持板１１１に取り付けられる取付部１４１と、この取付部１４１から一体に伸びてチャック部材１２０の下接触面１２２に接触し、光ディスク１５０の装着力によって撓んで弾性変位を有する支持部１４２とからなる。
【００４７】
ここで、支持部１４２は、下接触面１２２に接触する部位が下接触面１２２の傾斜角に対応するように斜めに形成され、本実施例においては、支持部１４２は１７゜だけ傾くことが望ましい。
【００４８】
また、支持部１４２は、装着力によって易しく撓むように、その下側面が支持板１１１に対して所定の間隔で離隔していることが望ましい。
【００４９】
つぎに、図３Ａ〜３Ｄは図２のターンテーブル組立体１００に光ディスク１５０が装着される例を示す断面図で、これを参照して、光ディスク１５０がターンテーブル組立体１００に装着される過程を説明する。
【００５０】
光ディスク１５０が装着される前、チャック部材１２０はスプリング１３０によって上下接触面１２１、１２２がハウジング１１５の外側に突出した状態であり、下接触面１２２は支持板１１１に結合された弾性支持部材１４０の支持部１４２に支持されている（図３Ａ）。
【００５１】
ついで、光ディスク１５０がチャック部材１２０の上接触面１２１を挿入方向Ａに押しつけながら装着される。この際に、チャック部材１２０の下接触面１２２を支持している弾性支持部材１４０の支持部１４２が光ディスク１５０の装着力によって挿入方向Ａに撓むことによって、チャック部材１２０が傾き、これにより、光ディスク１５０の装着力がチャック部材１２０に一層うまく伝達できる（図３Ｂ）。
【００５２】
ついで、光ディスク１５０の装着力によって、チャック部材１２０がハウジング１１５の内側に光ディスク１５０の中心方向Ｂに収縮する。この際に、チャック部材１２０の最外側末端部に光ディスク１５０が接触すれば、チャック部材１２０がハウジング１１５の最内側に押し込まれる（図３Ｃ）。
【００５３】
最後に、光ディスク１５０がチャック部材１２０の下接触面１２２とかみ合うことで、光ディスク１５０の装着が完了する。この際に、スプリング１３０は光ディスク１５０の装着力によってハウジング１１５の内側に収縮してから、光ディスク１５０の内周面がチャック部材１２０の最外側末端部を過ぎて下接触面１２２とかみ合う時、チャック部材１２０を中心方向Ｂの反対方向、具体的にＣ方向に押し出すことにより、光ディスク１５０の内周面とチャック部材１２０の下接触面１２２が強くかみ合うようにする（図３Ｄ）。
【００５４】
本発明の実施形態として説明したターンテーブル組立体１００の構造は本発明の一実施例として示したものであり、本発明がこれに限定されるものではない。すなわち、光ディスク１５０の内周面に接触するチャック部材１２０、チャック部材１２０を支持する弾性支持部材１４０の外形、およびターンテーブル組立体１００の構造は自由に変形可能なものである。
【００５５】
以上、本発明の好適な実施例を参照して本発明のターンテーブル組立体について説明したが、本発明の思想を逸脱しない範囲内で多様な修正、変更および変形実施例が可能であることは当業者に明らかであろう。
【産業上の利用可能性】
【００５６】
本発明は、チャック部材を所定の角度に傾けて光ディスクの装着力をチャック部材に一層うまく伝達させることにより、光ディスクに過度な力を印加しなくても光ディスクを容易に装着および分離することができるターンテーブル組立体に適用可能である。
【図面の簡単な説明】
【００５７】
【図１】本発明の好適な実施例によるターンテーブル組立体が装着されたスピンドルモーターの概略的な断面図である。
【図２】図１のターンテーブル組立体の部分拡大断面図である。
【図３Ａ】図２のターンテーブル組立体に光ディスクが結合されることを示す概略断面図である。
【図３Ｂ】図２のターンテーブル組立体に光ディスクが結合されることを示す概略断面図である。
【図３Ｃ】図２のターンテーブル組立体に光ディスクが結合されることを示す概略断面図である。
【図３Ｄ】図２のターンテーブル組立体に光ディスクが結合されることを示す概略断面図である。
【図４】従来技術のターンテーブル組立体の概略断面図である。
【図５Ａ】図４のターンテーブル組立体に光ディスクが結合されることを示す概略断面図である。
【図５Ｂ】図４のターンテーブル組立体に光ディスクが結合されることを示す概略断面図である。
【図５Ｃ】図４のターンテーブル組立体に光ディスクが結合されることを示す概略断面図である。
【符号の説明】
【００５８】
１００  ターンテーブル組立体、１１０  ターンテーブル、１１１  支持板、１１２  結合ホルダー、１１４  ゴムリング、１１５  ハウジング、１２０  チャック部材、１３０  スプリング、１４０  弾性支持部材、１４１  取付部、１４２  支持部、１５０  光ディスク、２００  スピンドルモーター、２１０  ベース、２２０  ベアリングホルダー、２３０  ベアリング、２４０  電気子、２５０  回転軸
【図１】
2008010134.tif 000003
【図２】
2008010134.tif 000004
【図３Ａ】
2008010134.tif 000005
【図３Ｂ】
2008010134.tif 000006
【図３Ｃ】
2008010134.tif 000007
【図３Ｄ】
2008010134.tif 000008
【図４】
2008010134.tif 000009
【図５Ａ】
2008010134.tif 000010
【図５Ｂ】
2008010134.tif 000011
【図５Ｃ】
2008010134.tif 000012